(57)【要約】【課題】  今、日本の電力事情は震災後の原子力発電所の停止もあり、火力発電の燃料の石炭、石油、天然ガスなどの燃料が、需要増や為替の円安などにより高騰し、電気会社の経営を大きく圧迫しているのが現状である。特に原子力発電所については、核に対しての反対意見や核に対する安全性の問題で、再稼動もままならない状況にある。廃炉にとの声も多いが、廃炉にするにしても膨大な費用が掛かることも懸念されている。【解決手段】  これらを解決するために、選択図１の火力発電所では、９の石炭、石油、天然ガスなどの燃料を１２電気ヒーターに置き換える。また、選択図２の原子力発電所においては、１０核燃料棒、１１制御棒をすべて、１４圧力容器内から取り出し、１３電気ヒーター棒に置き換える。【選択図】図１
2014137061.tif 000002
【特許請求の範囲】
【請求項１】
現在ある施設、設備を出来る限りそのまま使用し、石炭、石油、天然ガス等の燃料を電気ヒーターに置き換えることを特徴とする火力発電所。
【請求項２】
現在ある施設、設備をできるかがりそのまま使用し、原子力発電所の核燃料棒や制御棒を圧力容器から抜き取り、電気ヒーター棒に置き換えることを特徴とする火力発電所。
【発明の詳細な説明】
【技術分野】
【０００１】  この発明は、ボイラーや圧力容器内で水を熱して水蒸気に変え、その水蒸気でタービンを回転させ、そのタービンに連結された発電機を回し発電する火力発電に関する。
【背景技術】
【０００２】  火力発電所では、ボイラーの中で石炭、石油、天然ガスなどを燃料として燃やし、水を沸騰させて水蒸気を発生させ、その水蒸気の力でタービンを回しタービンと連結された発電機で電力を得ている。しかし、石炭、石油、天然ガスなどの燃料の価格も高騰して電力会社の経営を圧迫している。東北大震災後、電力の問題は国を挙げての大きな関心事である。原子力発電所の停止に伴い、古い火力発電所までもフル稼働の状況が続いており、電気料金の値上げも検討され国民への負担増も避けて通れない状況にある。【０００３】  原子力発電所においては、核燃料棒と制御棒を水の入った圧力容器の中に置き燃料として熱を発生させ、水を沸騰させて水蒸気を得ている。その発生させた水蒸気でタービンを回し、タービンと連結した発電機で電力を得ている。しかし、核への安全性の問題や、設置場所の安全性などさまざまな要因で再稼動もままならない状況にある。廃炉に向けての意見もあるが、それにしても膨大な費用がかかる試算もある。
【先行技術文献】
【特許文献】
【０００４】
【非特許文献】
【０００５】
【発明の概要】
【発明が解決しようとする課題】
【０００６】  しかしながら、以上の技術によれば、石炭、石油、天然ガスなどの燃料は価格変動に左右されることとなり、経営の改善、電気料金の安定が得にくい状況は変わらない。
原子力発電所においても、核燃料棒を使用している以上、すぐに国民の理解を得て全面稼動が実現できる可能性は低い。
そこで、この発明は、石炭、石油、天然ガスなどの燃料や、核燃料棒などの核を一切使用しない火力発電所を実現することを課題とする。
【課題を解決するための手段】
【０００７】  以上の課題を解決するために、第一発明は、現在ある施設、設備を出来る限りそのまま使用し、石炭、石油、天然ガスなどの燃料を電気ヒーターに置き換えることを特徴とする火力発電所。【０００８】  また、第二発明は、現在ある施設、設備をできる限りそのまま使用し、原子力発電所の核燃料棒や、制御棒を電気ヒーター棒に置き換えることを特徴とする火力発電所。
【発明の効果】
【０００９】  第一発明によれば、石炭、石油、天然ガスなどの燃料から電気ヒーターに置き換ることにより価格変動や、為替変動による経営への影響を大幅に減らすことが出来るほか、環境への影響も軽減が可能になる。【００１０】  または第二発明によれば、核燃料棒や制御棒を電気ヒーター棒に置き換えることにより、核に対しての反対意見、再稼動に対しての理解が得やすくなるほか、廃炉に掛かる費用も大幅に節減できる。
【図面の簡単な説明】
【００１１】
【図１】この発明の一実施形態を示す火力発電所の図である。
【図２】この発明の一実施形態を示す原子力発電所から火力発電所に変化の図である。
【図３】従来の火力発電所の図である。
【図４】従来の原子力発電所の図である。
【発明を実施するための形態】
【００１２】  この発明の一実施形態を、図１に示す。
現在ある施設、設備を出来る限りそのまま使用し、火力発電所の基本的な構造は変えずに、７の給水ポンプから送り出された８水が１ボイラーの中で、従来の９石炭、石油、天然ガスなどの燃料から置き換えられた１０電気ヒーターにより熱せられ、２水蒸気になりその水蒸気の力で３タービンを回転させ、連結されている４発電機が回転することにより電気が作られている。２水蒸気は５復水器内で６冷却水により冷やされ再び８水に戻りこのサイクルを繰り返し発電する火力発電所。
【００１３】  この発明の一実施形態を、図２に示す。
現在ある施設、設備は出来る限りそのまま使用し、原子力発電所の基本的な構造は変えずに、１４圧力容器には８水が張られており、従来の燃料である１０核燃料棒や、１１制御棒から置き換えられた、たくさんの１３電気ヒーター棒により熱せられ、２水蒸気になりその水蒸気の力で３タービンを回転させ、連結されている４発電機が回転することにより電気が作られている。２水蒸気は５復水器内で６冷却水により冷やされ再び８水に戻りこのサイクルを繰り返し発電する火力発電所。
【００１４】「実施形態の効果」
この実施形態によれば、火力発電所では９石炭、石油、天然ガスなどの燃料から、燃料を１０電気ヒーターに置き換えることにより、価格の変動や、為替の変動による経営への影響を減らし、環境に対する支出を抑える効果もある。
【００１５】  この実施形態によれば、原子力発電所では１０核燃料棒や１１制御棒から１３電気ヒーター棒に置き換えることにより、安全で安定的な電気を作り出すことが出来る。また、核を一切使用しないことから、人々に安心と再稼動への理解を得ることが容易になる。
「他の実施形態」
【００１６】  図１の実施形態では、火力発電所の燃料を９石炭、石油、天然ガスなどの燃料から１２電気ヒーターに置き換えることにより、１ボイラーの中で２水蒸気を発生させる方式であったが、他の実施形態では、８水の通った管にヒーターを直接巻きつる方式もあり、製鉄所で行われている電気炉のような方式でも良い。これからの実証試験の中で最も効率の良い方法が見つかると確信している。また将来的にはその火力発電所で発電された電気の一部を使い、全く燃料代の要らない夢の火力発電所になるかも知れない。
【００１７】  図２の実施形態では、原子力発電所の、１０核燃料棒や１１制御棒から１３電気ヒーター棒に置き換えたことにより、１４圧力容器の中で２水蒸気を発生させる方式であった。他の実施体系では電気ポットのように１４圧力容器の内部下から熱する方法でも良く、ＩＨ方式でも良い。これからの実証試験の中で最も効率の良い方法が見つかると確信している。また将来的にはその火力発電所で発電された電気の一部を使い、全く燃料代の要らない夢の火力発電所になるかも知れない。
【符号の説明】
【００１８】１  ボイラー            ２  水蒸気        ３  タービン
４  発電機              ５  復水器        ６  冷却水
７  給水ポンプ          ８  水            ９  石炭、石油、天然ガスなどの燃料
１０  核燃料棒          １１  制御棒      １２  電気ヒーター
１３  電気ヒーター棒    １４  圧力容器
【図１】
2014137061.tif 000003
【図２】
2014137061.tif 000004
【図３】
2014137061.tif 000005
【図４】
2014137061.tif 000006